(57)【要約】【目的】強力な磁力を発揮し部品類を確実に保持するにも拘ず安心して使用することができる工具用磁気保持装置を提供する。【構成】部品類を希土類磁石を用いて磁気保持するための装置として、希土類磁石としてネオジウムマグネット１１を用いており、ネオジウムマグネット１１は工具類又は部品類を受け入れ可能なリング状を呈するとともに、その表面をカバー１２、１７によって密閉し、その密閉された箇所の一部を、部品類に磁気吸着する磁気保持部とした工具用磁気保持装置１０。【選択図】　　　　図１
2004141986.tif 000002
【特許請求の範囲】
【請求項１】
部品類を希土類磁石を用いて磁気保持するための工具用磁気保持装置であって、希土類磁石としてネオジウムマグネットを用いており、ネオジウムマグネットは工具類又は部品類を受け入れ可能なリング状を呈するとともに、その表面をカバーによって密閉し、その密閉された箇所の一部を、部品類に磁気吸着する磁気保持部としたことを特徴とする工具用磁気保持装置。
【請求項２】
ネオジウムマグネットはリング状のものを中心軸と平行な方向に正２分した半リング状のものから成り、半リング状のものの内側部と外側部をＮ極とＳ極に分極し、リング状の中心部に配置された工具を磁気吸着するようにした請求項１記載の工具用磁気保持装置。
【請求項３】
リング状のネオジウムマグネットを密閉するカバーは、リングの内側に位置する内側部と、リングの外側に位置する外側部と、リングの一端に位置する一端部と、リングの他端に位置する他端部とを有している構成を有する請求項１記載の工具用磁気保持装置。
【請求項４】
カバーは、リングの内面に位置する内側部が他の部分より薄く形成され、リングの他端を密閉する非磁性部分とともに、部品類に磁気吸着する磁気保持部を構成している請求項１記載の工具用磁気保持装置。
【請求項５】
部品類を希土類磁石を用いて磁気保持するための工具用磁気保持装置であって、希土類磁石としてネオジウムマグネットを用いており、ネオジウムマグネットは部品類又は工具類を受け入れ可能なリング状を呈するとともに、その表面をカバーによって密閉し、ネオジウムマグネットの内側と外側及び一端をカバーの内側部と外側部及び一端部によって囲みかつ他端には磁気保持部として鉄ヨークを設けて全体を密閉した構成を有しており、鉄ヨークを工具本体の先端部側に配置して、工具本体に対して前後移動可能に組み合わせるととも
に、作業後、ネオジウムマグネットを定位置に戻すためのばね部材を設けたことを特徴とする工具用磁気保持装置。
【発明の詳細な説明】
【０００１】
【発明の属する技術分野】
本発明は、工具により取り扱う部品類を希土類磁石を用いて磁気保持するための工具用磁気保持装置に関するものである。
【０００２】
【従来の技術】
希土類磁石は磁気特性が良好であり、かつまた価格も比較的安価な部類に属するため、各種用途に使用されつつある。しかし、吸着時の接触衝撃や、工具振動の共振破壊、摩耗等により、微粉、微塊を生じやすく、或いは錆び粉も発生するため、これらが吸着対象物に付着してその特性を著しく阻害し、性能を損なうおそれがある。磁気を嫌う時計などの機器、電磁波、磁気記憶装置、高周波回路、ＧＰＳシステム等にあっては、強力なネオジウムマグネットの破片などでも甚大な影響を被ることが予測される。
【０００３】
また本発明の対象である工具とともに扱われるねじのような部品類では、使用目的により六角頭部の高さが種々異なるものがあり、これらの中でフランジ付きねじ類はフランジによってソケットに挿入される寸法が規制されるために、磁石の吸着面高さを夫々のねじに合わせる必要があり、さらにナットでは締め付けるにしたがってボルト部が突出する分、磁石を後退させることが必要なケースもある。こうしたことは、工具のマグネット機構部の大型化を招いており、作業者への重量的な負担増となって跳ね返っている。
【０００４】
【発明が解決しようとする課題】
本発明は前記の点に着目してなされたものであり、その課題は、強力な磁力を発揮し部品類を確実に保持するにも拘ず安心して使用することができる工具用磁気保持装置を提供することである。また本発明の他の課題は小型軽量に形成し得る安全な工具用磁気保持装置を提供することである。
【０００５】
【課題を解決するための手段】
前記の課題を解決するため本発明は、希土類磁石としてネオジウムマグネットを用い、ネオジウムマグネットは工具類を受け入れ可能なリング状を呈するとともに、その表面をカバーによって密閉し、その密閉された箇所の一部を、部品類に磁気吸着する磁気保持部とするという手段を講じたものである。
【０００６】
【発明の実施の形態】
本発明の工具用磁気保持装置は、部品類を希土類磁石を用いて磁気保持する工具のためのものである。
【０００７】
希土類磁石としては、ネオジウムマグネットを使用する。ネオジウムマグネットは、保磁力、最大エネルギー積、残留磁束密度いずれも大きく、小型化及び軽量化に最良である。本発明によるネオジウムマグネットは工具類を受け入れ可能なリング状を呈するとともに、その表面をカバーによって密閉し、その密閉された箇所の一部を、部品類に対する磁気吸着のための磁気保持部とする。
【０００８】
ネオジウムマグネットは、複数個のものをリング状に並べたものであっても良いし、また円形のリング状ないし筒状のものであっても良い。このネオジウムマグネットを密閉するカバーは、リング状等の内側に位置する内側部と、リング状等の外側に位置する外側部と、リング状等の一端に位置する一端部と、リング状等の他端に位置する他端部とを有している構成を持つものとする（請求項３記載の発明）。
【０００９】
ネオジウムマグネットとして、リング状のものを中心軸と平行な方向に正２分した半リング状のものを２個使用したときは、半リング状のものの内側部と外側部をＮ極とＳ極とに分極し、リング状の中心部に配置した工具を磁気吸着する構成とすることができる（請求項２記載の発明、図２参照）。
【００１０】
またカバーは、リングの内側に位置する内側部を他の部分より薄く形成し、それによってリングの内側の領域をも磁気保持部に使用することができる（請求項４記載の発明）。つまりカバー材の構造を磁気吸着力の強弱調整手段として併用しても良い。
【００１１】
さらに請求項５の発明では、ネオジウムマグネットは、その内面と外面及び一端を、カバーの内側部と外側部及び一端部によって囲み、かつ他端は、磁気保持部として鉄ヨークを設けて全体を密閉し、さらに鉄ヨークを工具本体の先端部側に配置して、工具本体に対して前後移動可能に組み合わせるとともに、ネオジウムマグネットを作業後定位置に戻すためのばね部材を設けている。これにより、例えばねじ類の六角頭部の高さが異なるものや、ナット締め付けの進行にしたがってボルト部が突出すること、などに対応することが可能になる。本発明を適用し得る工具としては、いわゆるドライバービット、ボックスビット、ソケットレンチ、ユニバーサルジョイント工具等、ねじ、ボルト類の締め緩め工具全般が対象となる。
【００１２】
【実施例】
以下図示の実施例に基づいて本発明をより詳細に説明する。図１は、本発明の実施例１に関するもので、１１は長目のリング状に型成形されたネオジウムマグネットで、リング状のものを中心軸と平行な方向に正２分した半リング状のものから成り、２個の半リング状ののものの内側部と外側部をＮ極とＳ極に分極し、中間にスペースＳを設けてリング状を呈するように配置されている。１２はその表面を密閉するカバーであり、リングの内側に位置する内側部１３と、リングの外側に位置する外側部１４と、リングの一端に位置する一端部１５とを有している。カバー１２の内側部１３は密閉カバー材の材厚が特別に薄く形成され、磁気保持部としての磁気吸着能力を持っている。
【００１３】
また、リングの他端に位置しているカバー１２の他端部に相当する部分１６は開放しており、そこはかしめて取り付けた別部材の非磁性カバー１７によって塞がれ、全体としてカバー１２、１７によるネオジウムマグネットの密閉が完結している。実施例１のカバー１２は鉄（ＳＳ）製、また非磁性カバー１７はアルミ合金製である。リングの中心に相当する箇所は、カバー１２の内側部１３によって囲まれる空間であるが、同時に、本発明の磁気保持装置１０を工具に取り付ける部分１８となり、例えばドライバービットを差し込む場所として使用される。
【００１４】
よって本装置１０の上記空間部分１８にドライバービット１９を差し込むと、例えば２個の半リング状マグネットの内側をＳ極、外側をＮ極に分極した場合、ドライバービットの軸側は図２に示すようにＮ極となるので、磁気吸着により固定される。その磁気吸着力は、ドライバービット１９の軸部を磁化し、図３に示すようにビット先端からハンドルＨの方向へ本操作１０をスライドさせても、ビット先端における磁気吸着力は衰えることなく、ビット先端部と契合するねじ類Ｐに及ぶので、そのねじ類Ｐを確固に磁気保持することができる。よってねじ類Ｐを本装置１０で隠さずに十分露出させたまま移動することができ、取り落とすおそれもない。また実施例１の装置は１０はカバー１２の外側で着磁及び脱磁を行えるという機能をも有する。
【００１５】
図４、図５は、本発明の実施例２に関するもので、この磁気保持装置２０は、円筒状のネオジウムマグネット２１、非磁性カバー２２及び鉄ヨーク２３から成り立っている。このネオジウムマグネット２１は実施例１のような内外分極ではなく、両端分極とされ、その１極に、磁気保持部兼カバーとして鉄ヨーク２７が配置されている（図４（ｂ）参照）。非磁性カバー２２は、内側部２３と外側部２４及び一端部２５とを有し、ネオジウムマグネット２１の他端に相当する部分２６には、円筒状の鉄ヨーク２７が接着により取り付けてあって、非磁性カバー２２とともにネオジウムマグネット２２を密閉している。実施例２の場合非磁性カバー２２の材厚に特に差は設けておらず、磁気吸着能力も必要ではない。ネオジウムマグネット２１の中心及び鉄ヨーク２７の中心には夫々空間２８、２９が設けられている。
【００１６】
実施例２の磁気保持装置２０における磁気吸着能力は鉄ヨーク２７に集中して発揮されている。このような実施例２の磁気保持装置２０において、図４に示すようにネオジウムマグネット２１を工具本体３０の先端部側に収納するために、工具本体内部にはボックスレンチのレンチ部に相当する係合部３１が先端部に設けられ、その軸方向内方に磁気保持装置２０を前後移動可能に設けた空間３２が設けられていて、さらにその奥に、ネオジウムマグネット２１を定位置に戻すためのばね部材３３の収容部兼ネオジウムマグネット後退のための空間３４が設けられている。
【００１７】
図５に例示した磁気保持装置２０の場合、鉄ヨーク２７の外周に前向きの段部３５が設けられ、かつ工具本体側には後向きの段部３６が設けられていて、両端部３５、３６間に止め輪３７を介在させているので、前方への抜け出しが防止される。なおこの適用例の工具本体３０は、ボックスビットである。
【００１８】
実施例２の場合でも、ネオジウムマグネット２１は非磁性カバー２２及びカバーの一部である鉄ヨーク２７によって完全に密閉されており、磁気吸着物との衝突、工具自体の振動、工具取り扱いの粗雑等によってネオジウムマグネット２１が損傷したとしてもその飛散を防止し、また錆を外部に漏出させることがない。これは実施例１のものと同様である。また、ネオジウムマグネット１１、２１は極性を自在に着磁することができるので、リング状のものを半円状に２分して各分断端部に極性を得るのみならず、半円の内側と外側に異なる極性を持たせることができるのは既に見たとおりである。
【００１９】
【発明の効果】
本発明は以上の如く構成されかつ作用するものであるから、強力な磁力を発揮するにも拘ず安心して使用することができ、かつまた小型軽量に形成し得る安全な工具用磁気保持装置を提供することができる。また、ネオジウムマグネットは損傷しないかしても表に漏れないため、回収再利用が可能となる。
【図面の簡単な説明】
【図１】（ａ）本発明の工具用磁気保持装置の実施例１を示す一方の端面図。
（ｂ）同じく実施例１のものの縦断面図。
（ｃ）図１（ａ）の反対側の端面図。
【図２】実施例１の磁極の関係を示す斜視図。
【図３】同じく実施例１の装置の使用説明図。
【図４】（ａ）本発明の実施例２を示す端面図。
（ｂ）同じく縦断面図。
【図５】実施例２のものの適用例を示す一部破断側面図。
【符号の説明】
１０、２０　工具用磁気保持装置
１１、２１　ネオジウムマグネット
１２、１７、２２　カバー
２７　鉄ヨーク
３０　工具本体
【図１】
2004141986.tif 000003
【図２】
2004141986.tif 000004
【図３】
2004141986.tif 000005
【図４】
2004141986.tif 000006
【図５】
2004141986.tif 000007